(57)【要約】      （修正有）【課題】放電手段の発熱部の一定温度以上の温度上昇を確実に防止し、且つ、効率良く放電することができる放電制御装置と充電器を提供する。【解決手段】充電器１は、発熱部３５を備えバッテリ５を放電するバッテリ放電手段３１と、発熱部の近傍温度を検出する発熱部近傍温度検出手段３７と、バッテリのバッテリ電圧を検出するバッテリ電圧検出手段２０と、バッテリ電流を検出するバッテリ電流検出回路２２と発熱部近傍温度検出手段により検出された発熱部近傍温度と、予め設定されている発熱部近傍温度と放電電力との関係に基づいて放電電力を算出し、算出した放電電力に基づいてバッテリ放電手段による放電を制御する制御手段１９と、を具備する。【選択図】図１
2020031498.tif 000002
【特許請求の範囲】
【請求項１】
発熱部を備えバッテリを放電するバッテリ放電手段と、
上記発熱部の近傍温度を検出する発熱部近傍温度検出手段と、
上記バッテリのバッテリ電圧を検出するバッテリ電圧検出手段と、
上記発熱部近傍温度検出手段により検出された発熱部近傍温度と予め設定されている発熱部近傍温度と放電電力との関係に基づいて放電電力を算出し算出した放電電力に基づいて上記バッテリ放電手段による放電を制御する制御手段と、
を具備したことを特徴とする放電制御装置。
【請求項２】
請求項１記載の放電制御装置において、
上記バッテリ放電手段は放電抵抗と半導体の直列回路であり、
上記制御手段は上記バッテリ電圧検出手段により検出されたバッテリ電圧と上記放電電力算出手段により算出された放電電力と上記放電抵抗の抵抗値とから上記半導体のＯＮ期間を制御するものであることを特徴とする放電制御装置。
【請求項３】
請求項１又は請求項２記載の放電制御装置において、
上記制御手段は上記発熱部近傍温度検出手段により検出された発熱部近傍温度と、予め設定されている発熱部近傍温度と放電電力と発熱部はんだ部温度上昇許容値との関係に基づいて放電電力を算出するものであることを特徴とする放電制御装置。
【請求項４】
請求項１記載の放電制御装置において、
上記バッテリ放電手段は上記半導体を不飽和領域でＯＮすることにより上記半導体に損失を発生させて放電するものであることを特徴とする放電制御装置。
【請求項５】
請求項１〜請求項４の何れかに記載の放電制御装置において、
上記制御手段は、上記発熱部近傍温度検出手段により検出される発熱部近傍温度が一定温度以上になった場合に、異常と判断して上記バッテリ放電手段による放電動作を停止するものであることを特徴とする放電制御装置。
【請求項６】
請求項１〜請求項５の何れかに記載された放電制御装置を備えたことを特徴とする充電器。
【発明の詳細な説明】
【技術分野】
【０００１】
本発明は、放電制御装置と充電器に係り、特に、周囲温度に影響されることなく、放電手段の発熱部の一定温度以上の温度上昇を確実に防止し、且つ、効率良く放電することができるように工夫したものに関する。
【背景技術】
【０００２】
最近、ホビー用機器、電動工具、等にはリチウムイオン電池に代表されるバッテリが搭載されている。この種のリチウム電池の場合には次のような理由により適宜のタイミングで放電が必要になる。
一つ目の理由が、長期保存の際電池寿命を確保するためである。例えば、高電位の状態が長く維持されると、低電位状態の時に比べて電池正極物質の劣化がすすみ、その結果、電池寿命が短くなってしまう。
二つ目の理由が、輸送の際の発火現象のリスクを抑えるためである。例えば、リチウムイオン電池を航空輸送する場合の包装基準により、輸送時の充電率を３０％以下にすることが要求されている。
三つ目の理由が、バッテリのセルバランスを調整するためである。すなわち、並列接続されたバッテリにおいて、放電時にバッテリセルを検出し、一定電圧以下になったらバッテリセル回路を遮断することにより、各バッテリセル間の電圧（容量）を一定とするバランス機能を発揮させるためである。
【０００３】
この種の放電機能は、充電器で充電作業と並行して行われるため、充電器に放電機能が必要となる場合がある。又、放電方法としては、放電抵抗を用いて放電する方法、半導体を不飽和領域で動作させて半導体の損失により放電する方法、等がある。何れの場合も単純なジュール損失であり、基本的には温度と損失は比例関係にある。又、放電の際、放電抵抗、半導体の部品温度が上昇して、冷熱サイクルによるはんだクラックが発生することがある。そこで、この種のはんだクラックの発生を防止するために、はんだ部の温度が一定以下になるように制御する必要がある。
【０００４】
この種の放電電力制御装置の構成を開示するものとして、例えば、特許文献１、特許文献２、等がある。
まず、特許文献１に記載された発明による「蓄電装置の充放電制御装置」であるが、蓄電装置と車両の走行用モータとの間で充放電電力を通電する通電部品があり、この通電部品の雰囲気温度を検出し、その検出値に基づいて、充放電電力を制限しようとするものである。
又、特許文献２に記載された発明による「二次電池の充放電制御システム」であるが、二次電池の電池温度を検出し、冷却ファンによって上記二次電池に供給される吸気温度を検出し、それによって、冷却ファンの回転数を制御しようとするものである。
【先行技術文献】
【特許文献】
【０００５】
【特許文献１】特開２０１７−７１２９９号公報
【特許文献２】特開２０１８−４１５７２号公報
【発明の概要】
【発明が解決しようとする課題】
【０００６】
上記従来の構成によると次のような問題があった。
まず、特許文献１に記載された発明の場合には、通電部品の雰囲気温度を検出しなければならないという問題があった。又、放電する対象であるインバータの温度上昇については何等考慮されていないという問題もあった。
又、特許文献２に記載された発明の場合には、単に、冷却ファンによる冷却能力を制御しているだけであり、放電を制御するものではないという問題があるとともに、吸気温度と電池温度の両方を検出しなければならないという問題もあった。
【０００７】
本発明はこのような点に基づいてなされたものでその目的とするところは、簡易な構成で、周囲温度に影響されることなく、放電手段の発熱部の一定温度以上の温度上昇を確実に防止し、且つ、効率良く放電することができる放電制御装置と充電器を提供することにある。
【課題を解決するための手段】
【０００８】
上記目的を達成するべく本願発明の請求項1による放電制御装置は、発熱部を備えバッテリを放電するバッテリ放電手段と、上記発熱部の近傍温度を検出する発熱部近傍温度検出手段と、上記バッテリのバッテリ電圧を検出するバッテリ電圧検出手段と、上記発熱部近傍温度検出手段により検出された発熱部近傍温度と予め設定されている発熱部近傍温度と放電電力との関係に基づいて放電電力を算出し算出した放電電力に基づいて上記バッテリ放電手段による放電を制御する制御手段と、を具備したことを特徴とするものである。
又、請求項２による放電制御装置は、求項１記載の放電制御装置において、上記バッテリ放電手段は放電抵抗と半導体の直列回路であり、上記制御手段は上記バッテリ電圧検出手段により検出されたバッテリ電圧と上記放電電力算出手段により算出された放電電力と上記放電抵抗の抵抗値とから上記半導体のＯＮ期間を制御するものであることを特徴とするものである。
又、請求項３による放電制御装置は、請求項１又は請求項２記載の放電制御装置において、上記制御出手段は、上記発熱部近傍温度検出手段により検出された発熱部近傍温度と、予め設定されている発熱部近傍温度と放電電力と発熱部はんだ部温度上昇許容値との関係に基づいて放電電力を算出するものであることを特徴とするものである。
又、請求項４による放電制御装置は、請求項１記載の放電制御装置において、上記バッテリ放電手段は上記半導体を不飽和領域でＯＮすることにより上記半導体に損失を発生させて放電するものであることを特徴とするものである。
又、請求項５による放電制御装置は、請求項１〜請求項４の何れかに記載の放電制御装置において、上記制御手段は、上記発熱部近傍温度検出手段により検出される発熱部近傍温度が一定温度以上になった場合に、異常と判断して上記バッテリ放電手段による放電動作を停止するものであることを特徴とするものである。
又、請求項６による充電器は、請求項１〜請求項５の何れかに記載された放電制御装置を備えたことを特徴とするものである。
【発明の効果】
【０００９】
以上述べたように本願発明の請求項２による放電電力制御装置によると、発熱部を備えバッテリを放電するバッテリ放電手段と、上記発熱部の近傍温度を検出する発熱部近傍温度検出手段と、上記バッテリのバッテリ電圧を検出するバッテリ電圧検出手段と、上記発熱部近傍温度検出手段により検出された発熱部近傍温度と予め設定されている発熱部近傍温度と放電電力との関係に基づいて放電電力を算出し算出した放電電力に基づいて上記バッテリ放電手段による放電を制御する制御手段と、を具備した構成になっているので、周囲温度に影響されることなく、放電手段の発熱部の一定温度以上の温度上昇を確実に防止し、且つ、効率良く放電することができる。
又、請求項２による放電制御装置によると、求項１記載の放電制御装置において、上記バッテリ放電手段は放電抵抗と半導体の直列回路であり、上記制御手段は上記バッテリ電圧検出手段により検出されたバッテリ電圧と上記放電電力算出手段により算出された放電電力と上記放電抵抗の抵抗値とから上記半導体のＯＮ期間を制御するものであるので、上記効果をより確実なものとすることができる。
又、請求項３による放電制御装置によると、請求項１又は請求項２記載の放電制御装置において、上記制御手段は、上記発熱部近傍温度検出手段により検出された発熱部近傍温度と、予め設定されている発熱部近傍温度と放電電力と発熱部はんだ部温度上昇許容値との関係に基づいて放電電力を算出するものであるので、上記効果をより確実なものとすることができる。
又、請求項４による放電制御装置によると、請求項１記載の放電制御装置において、上記バッテリ放電手段は上記半導体を不飽和領域でＯＮすることにより上記半導体に損失を発生させて放電するものであり、そのような構成であっても、上記と同様の効果を奏することができる。
又、請求項５による放電制御装置によると、請求項１〜請求項４の何れかに記載の放電制御装置において、上記制御手段は、上記発熱部近傍温度検出手段により検出される発熱部近傍温度が一定温度以上になった場合に、異常と判断して上記バッテリ放電手段による放電動作を停止するものであるので、上記効果をより確実なものとすることができる。
又、請求項６による充電器によると、請求項１〜請求項５の何れかに記載された放電制御装置を備えているので、効率の良い放電ひいては効率の良い充電を実現することができる。
【図面の簡単な説明】
【００１０】
【図１】本発明の一実施の形態を示す図で、交流電源、充電器、バッテリの関係を示すブロック図である。
【図２】本発明の一実施の形態を示す図で、放電電力Ａ（℃）と抵抗はんだ部温度上昇値Ｂ（℃）との関係を示す特性図である。
【図３】本発明の一実施の形態を示す図で、抵抗はんだ部温度上昇値Ｂ（℃）とサーミスタ検出温度上昇値Ｃ（℃）との関係を示す特性図である。
【図４】本発明の一実施の形態を示す図で、サーミスタ検出温度（Ｃ＋Ｄ）（℃）と抵抗はんだ部目標検出温度γ（℃）と放電電力Ａ（℃）との関係を示す特性図である。
【図５】本発明の一実施の形態を示す図で、サーミスタ検出温度（Ｃ＋Ｄ）（℃）と放電電力Ａ（Ｗ）との関係を示す特性図である。
【発明を実施するための形態】
【００１１】
以下、図１乃至図５を参照して本発明の一実施の形態を説明する。図１は、充電器１と、交流電源３と、負荷としてのバッテリ５の関係を示すブロック図であり、上記充電器１は上記交流電源３から電源を入力して上記バッテリ５に充電する。
【００１２】
上記充電器１には入力ポート７があり、上記交流電源３と上記入力ポート７は主回路９ａ、９ｂを介して接続されている。上記充電器１には別の入力ポート１１が設置されていて、上記入力ポート７とこの入力ポート１１は上記主回路９ａ、９ｂを介して接続されている。
尚、上記交流電源３と入力ポート７、１１はアース回路１３を介して接続されている。
【００１３】
上記入力ポート１１には上記主回路９ａ、９ｂを介してＰＦＣ回路（Ｐｏｗｅｒ  Ｆａｃｔｏｒ  Ｃｏｒｒｅｃｔｉｏｎ：  力率改善回路）１５が接続されている。上記ＰＦＣ回路１５には上記主回路９ａ、９ｂを介してＤＣ／ＤＣコンバータ１７が接続されている。又、マイコン１９が設置されていて、上記ＰＦＣ回路１５はこのマイコン１９によってフォトカプラ２１を介して制御される。又、上記ＤＣ／ＤＣコンバータ１７は上記マイコン１９によってフォトカプラ２３を介して制御される。
尚、上記ＤＣ／ＤＣコンバータ１７と後述する出力ポート３９との間はＤＣ電圧が供給される主回路９ｃ、９ｄとなっている。
上記マイコン１９は、バッテリ電圧検出回路２０を介して検出されるバッテリ電圧（Ｖｂ）とバッテリ電流検出回路２２を介して検出されるバッテリ電流（Ｉｃ）を入力し、それらバッテリ電圧（Ｖｂ）とバッテリ電流（Ｉｃ）に基づいて、上記フォトカプラ２１、２３を介して上記ＰＦＣ回路１５とＤＣ／ＤＣコンバータ１７に制御信号を出力し、それによって、上記バッテリ５に適切な充電電流で充電する。
【００１４】
上記ＤＣ／ＤＣコンバータ１７とバッテリ５との間の主回路９ｃ、９ｄには、バッテリ放電回路３１が接続されている。上記バッテリ放電回路３１はＦＥＴ（Ｆｉｅｌｄ  Ｅｆｆｅｃｔ  Ｔｒａｎｓｉｓｔｏｒ：電界効果トランジスタ）３３と、放電抵抗３５と、から構成されている。上記ＦＥＴ３３が機能することにより放電抵抗３５を介しての放電が行われる。上記放電抵抗３５の近傍にはサーミスタ３７が設置されている。このサーミスタ３７を介して上記放電抵抗３５の温度を検出する。
【００１５】
尚、上記充電器１の上記バッテリ５側にも出力ポート３９、４１が設置されていて、上記ＤＣ／ＤＣコンバータ１７と出力ポート３９は主回路９ｃ、９ｄを介して接続されていて、出力ポート３９と出力ポート４１も主回路９ｃ、９ｄを介して接続されていて、出力ポート４１とバッテリ５も主回路９ｃ、９ｄを介して接続されている。
【００１６】
次に、上記マイコン１９による上記ＦＥＴ３３の制御について説明する。まず、上記マイコン１９から放電用ＦＥＴ３３に「ＤＳＣＨ  ＯＮ」信号が出力されると、放電抵抗３５に電流が流れ放電抵抗３５が発熱する。この放電抵抗３５の発熱により上記バッテリ５の放電が行われる。その際、上記放電用ＦＥＴ３３を「ＯＮ」する期間（Ｄｕｔｙ）が制御される。上記期間（Ｄｕｔｙ）は放電電力Ａ、検出したバッテリ電圧（Ｖｂ）、放電抵抗Ｒから次の式（Ｉ）によって算出される。
Ｄｕｔｙ＝Ａ・Ｒ／Ｖｂ２―――（Ｉ）
但し、
Ｄｕｔｙ：放電用ＦＥＴ３３を「ＯＮ」する期間
Ａ      ：放電電力
Ｖｂ    ：バッテリ電圧
Ｒ      ：放電抵抗
このように、上記マイコン１９は、放電電力Ａ、バッテリ電圧Ｖｂ、放電抵抗Ｒに基づいて、上記放電用ＦＥＴ３３を「ＯＮ」する期間（Ｄｕｔｙ）を制御し、それによって、放電手段３１の発熱部である放電抵抗３５のはんだ部の温度が一定温度以上になることを防止し、且つ、放電可能な最大電力を出力することにより効率的な放電を実現している。
【００１７】
次に、上記放電電力Ａ（Ｗ）の算出について説明する。
図２は横軸に放電電力Ａ（Ｗ）をとり、縦軸に抵抗はんだ部温度上昇値Ｂ（℃）をとり、両者の関係を示した特性図である。上記抵抗はんだ部温度上昇値Ｂ（℃）は、放電抵抗３５に設置された図示しない熱電対により測定された抵抗はんだ部検出温度Ｅ（℃）から、同じく図示しない熱電対により測定された周囲温度Ｄ（℃）を差し引いたものである。
尚、抵抗はんだ部検出温度Ｅ（℃）を検出する熱電対と周囲温度Ｄ（℃）を検出する熱電対は、図２の特性を求める際に使用するものであり、図１に示す充電器１に常備されるものではない。
【００１８】
図２に示した特性図を式で示すと次の式（ＩＩ）に示すようなものとなる。
Ｂ＝α・Ａ―――（ＩＩ）
但し、
Ａ：放電電力（Ｗ）
Ｂ：抵抗はんだ部温度上昇値（℃）
α：比例係数
【００１９】
次に、図３を参照して、抵抗はんだ部温度上昇値Ｂ（℃）とサーミスタ検出温度上昇値Ｃ（℃）との関係を説明する。図３は、横軸に抵抗はんだ部温度上昇値Ｂ（℃）をとり、縦軸にサーミスタ検出温度上昇値Ｃ（℃）をとり、両者の関係を示す特性図である。
上記抵抗はんだ部温度上昇値Ｂ（℃）は、既に説明したように、放電抵抗３５に設置された図示しない熱電対により測定された抵抗はんだ部検出温度Ｅ（℃）から、同じく図示しない熱電対により測定された周囲温度Ｄ（℃）を差し引いたものである。又、サーミスタ検出温度上昇値Ｃ（℃）は、サーミスタ３７により測定されたサーミスタ検出温度（Ｃ＋Ｄ）（℃）から、図示しない熱電対により測定された周囲温度Ｄ（℃）を差し引いたものである。
図３に示す特性、すなわち、抵抗はんだ部温度上昇値Ｂ（℃）とサーミスタ検出温度上昇値Ｃ（℃）との関係を式で示すと次の式（ＩＩＩ）に示すようなものとなる。
Ｃ＝β・Ｂ―――（ＩＩＩ）
但し、
Ｂ：抵抗はんだ部温度上昇値（℃）
Ｃ：サーミスタ検出温度上昇値（℃）
β：比例係数
そして、次の式（ＩＶ）、（Ｖ）が成立する。
Ｃ＝β・α・Ａ―――（ＩＶ）
Ａ＝Ｃ／（α・β）―――（Ｖ）
但し、
Ａ：放電電力（Ｗ）
Ｂ：抵抗はんだ部温度上昇値（℃）
Ｃ：サーミスタ検出温度上昇値（℃）
α：比例係数
β:比例係数
【００２０】
一方、周囲温度Ｄ（℃）が上昇すると、抵抗はんだ部検出温度Ｅ（℃）も周囲温度Ｄ（℃）分だけ上昇し、次の式（ＶＩ）が成立する。
Ｅ＝Ｂ＋Ｄ―――（ＶＩ）
但し、
Ｂ：抵抗はんだ部温度上昇値（℃）
Ｄ：周囲温度（℃）
Ｅ：抵抗はんだ部検出温度（℃）
又、上記式（ＶＩ）と既に説明した式（ＩＩＩ）より次の式（ＶＩＩ）が成立する。
Ｅ＝Ｃ／β＋Ｄ―――（ＶＩＩ）
但し、
Ｂ：抵抗はんだ部温度上昇値（℃）
Ｃ：サーミスタ検出温度上昇値（℃）
Ｄ：周囲温度（℃）
Ｅ：抵抗はんだ部検出温度（℃）
β：比例係数
例えば、抵抗はんだ部検出温度Ｅ（℃）をγ（抵抗はんだ部目標検出温度）に固定するためには、次の式（ＶＩＩＩ）に示す関係が成立することが必要となる。
γ＝Ｃ／β＋Ｄ―――（ＶＩＩＩ）
但し、
Ｃ：サーミスタ検出温度上昇値（℃）
Ｄ：周囲温度（℃）
β：比例係数
γ：抵抗はんだ部目標検出温度
【００２１】
このとき、サーミスタ検出温度上昇値Ｃ（℃）、周囲温度Ｄ（℃）は検知可能であり、又、比例係数α、比例係数βは実験により求められる数値である。
仮に、Ｄ＝γのときＣ＝０のため、サーミスタ検出値（Ｃ＋Ｄ）＝γとなり、その時、式（Ｖ）より、放電電力Ａ（Ｗ）＝０（Ｗ）となる。
又、Ｄ＝０のときＣ＝β・γのため、サーミスタ検出値（Ｃ＋Ｄ）＝β・γとなり、その時、式（Ｖ）より、放電電力Ａ（Ｗ）＝β・γ／（α・β）＝γ／αとなる。
これら二点を通る一次式は次の式（ＩＸ）に示すようなものとなる。
Ｆ（Ｃ＋Ｄ）＝−（Ｃ＋Ｄ）／（α−α・β）＋γ／（α−α・β）―――（ＩＸ）
但し、
Ｃ：サーミスタ検出温度上昇値（℃）
Ｄ：周囲温度（℃）
α：比例係数
β：比例係数
γ：抵抗はんだ部目標検出温度
Ｆ（Ｃ＋Ｄ）：サーミスタ検出温度（Ｃ＋Ｄ）時目標放電電力
この式（ＩＸ）において、比例係数αを「１」、比例係数βを「０．５」、抵抗はんだ部目標検出温度γを１００（℃）、とすると、次の式（Ｘ）が成立する。
Ｆ（Ｃ＋Ｄ）＝Ａ＝−２（Ｃ＋Ｄ）＋２００―――（Ｘ）
但し、
Ｆ（Ｃ＋Ｄ）：サーミスタ検出温度（Ｃ＋Ｄ）時目標放電電力
Ａ：放電電力（Ｗ）
Ｃ：サーミスタ検出温度上昇値（℃）
Ｄ：周囲温度（℃）
つまり、図４に示すように、サーミスタ検出温度（Ｃ＋Ｄ）に基づいて放電電力Ａ（Ｗ）を算出することにより、抵抗はんだ部検出温度Ｅ（℃）を１００（℃）に維持することができる。図４は横軸にサーミスタ検出温度（Ｃ＋Ｄ）をとり縦軸に抵抗はんだ部目標検出温度γと放電電力Ａ（Ｗ）をとり両者の関係を示した特性図である。
【００２２】
そして、上記式（Ｘ）で算出した放電電力Ａ（Ｗ）を、既に説明した式（Ｉ）に入れることにより、上記放電用ＦＥＴ３３を「ＯＮ」する期間（Ｄｕｔｙ）を算出する。マイコン１９はその算出した期間（Ｄｕｔｙ）に基づいて上記放電用ＦＥＴ３３を制御する。
【００２３】
又、図５に示すようにサーミスタ検出温度（Ｃ＋Ｄ）（℃）が、予め設定された所定温度を超えた場合には、異常と判断して、放電を停止する構成になっている。又、放電電力Ａ（Ｗ）の計算値が機器の性能による制限値を超える場合には、機器の性能による制限値で放電電力を制限する構成になっている。
【００２４】
ここで、周囲温度Ｄ（℃）が２０℃で動作を開始した場合を例に挙げて説明する。
放電前は、充電器１全体が周囲温度Ｄ（℃）と同じ温度で安定しているため、抵抗はんだ部検出温度Ｅ（℃）とサーミスタ検出温度（Ｃ＋Ｄ）（℃）は周囲温度Ｄ（℃）と同じ２０℃である。
式（Ｘ）より、放電電力Ａ（Ｗ）は（−２×２０＋２００＝１６０（Ｗ））となり、機器の性能による制限値を超えるため１００（Ｗ）で出力する。
抵抗はんだ部検出温度Ｅ（℃）は１００℃温度上昇するような温度勾配で温度が上昇していき、それに伴い、サーミスタ検出温度（Ｃ＋Ｄ）（℃）は、式（ＩＩ）の関係から、５０℃上昇するような温度勾配で上昇していく。
抵抗はんだ部検出温度Ｅ（℃）が２℃上昇すると、サーミスタ検出温度（Ｃ＋Ｄ）（℃）が１℃上昇するため、放電電力Ａ（Ｗ）は（−２×２１＋２００＝１５８（Ｗ））となり、２（Ｗ）減少していく。
最終的に、抵抗はんだ部検出温度Ｅ（℃）が１００℃、つまり、８０℃上昇すると、サーミスタ検出温度（Ｃ＋Ｄ）が４０℃上昇し、放電電力Ａ（Ｗ）は、（−２×（４０＋２０）＋２００＝８０（Ｗ））に減少する。
【００２５】
この状態で温度的に安定することになる。仮に、サーミスタ検出温度Ｅ（℃）がさらに１℃上昇すると、放電電力Ａ（Ｗ）が２（Ｗ）下がることになり、電力低下によってサーミスタ検出温度（Ｃ＋Ｄ）（℃）が下降することになる。
温度が低下する際には反対に、放電電力Ａ（Ｗ）が上がることになり、抵抗はんだ部検出温度Ｅ（℃）が１００℃になるようにフィードバック制御される。
周囲温度Ｄ（℃）が変化した場合も同様に、抵抗はんだ部検出温度Ｅ（℃）が１００℃になるように制御されることになる。
【００２６】
以上本実施の形態によると次のような効果を奏することができる。
まず、周囲温度Ｄ（℃）に影響されることなく、放電手段３１の発熱部としての放電抵抗３５を一定温度（例えば、１００℃）に安定して制御することにより、性能を得られる最大電力で放電することができ、効率的な放電を実現することができる。これは、サーミスタ検出温度（Ｃ＋Ｄ）（℃）と放電電力Ａ（Ｗ）と抵抗はんだ部温度上昇許容値（例えば、１００℃）と、の関係を予め確認しておき、その関係に基づいて放電電力Ａ（Ｗ）ひいては放電用ＦＥＴ３３のＤｕｔｙを制御するようにしたからである。
又、実際の制御時に周囲温度Ｄ（℃）を検出する必要もない。
【００２７】
尚、本発明は前記一実施の形態に限定されるものではない。
例えば、前記一実施の形態の場合には、抵抗はんだ部目標検出温度１００（℃）にした場合を例に挙げて説明したが、それに限定されるものではない。
その他図示した各部の構成はあくまで一例である。
【産業上の利用可能性】
【００２８】
本発明は、放電制御装置と充電器に係り、特に、放電手段の発熱部の一定温度以上の温度上昇を確実に防止し、且つ、効率良く放電することができるように工夫したものに関し、例えば、各種電動車両に搭載される充電器に好適である。
【符号の説明】
【００２９】
１  充電器
５  バッテリ
１９  マイコン（制御手段）
２０  バッテリ電圧検出回路（バッテリ電圧検出手段）
３１  バッテリ放電回路（バッテリ放電手段）
３３  放電用ＦＥＴ（バッテリ放電手段の一部）
３５  放電抵抗（発熱部）（バッテリ放電手段の一部）
３７  サーミスタ（発熱部近傍温度検出手段）
【図１】
2020031498.tif 000003
【図２】
2020031498.tif 000004
【図３】
2020031498.tif 000005
【図４】
2020031498.tif 000006
【図５】
2020031498.tif 000007